(57)【要約】      （修正有）【課題】薄型化が可能で、修理を容易に行うことができる遊戯台用テーブル装置を提供する。【解決手段】遊戯台の下部に設けられたカウンターの下面に設けられる遊戯台用テーブル装置において、カウンターの下面に固定する保持体５と、この保持体５の上面に沿って前後方向スライド可能に設けられカウンターの前部から出没する板状のテーブル本体６とを備え、保持体５は、テーブル本体６が摺動して前後方向にスライドするスライド受け部１１と、このスライド受け部１１の左右にそれぞれ設けられた左右の上向き段部１２，１２と、これら左右の上向き段部１２，１２の上端からそれぞれ左右外側に設けられカウンターの下面に固定する左右の固定部１３，１３とを備える。【選択図】図１
0003171534.tif 000002
【実用新案登録請求の範囲】
【請求項１】
遊戯台の下部に設けられたカウンターの下面に設けられる遊戯台用テーブル装置において、前記カウンターの下面に固定する保持体と、この保持体の上面に沿って前後方向スライド可能に設けられ前記カウンターの前部から出没する板状のテーブル本体とを備え、前記保持体は、前記テーブル本体が摺動して前後方向にスライドするスライド受け部と、このスライド受け部の左右にそれぞれ設けられた左右の上向き段部と、これら左右の上向き段部の上端からそれぞれ左右外側に設けられ前記カウンターの下面に固定する左右の固定部とを備えることを特徴とする遊戯台用テーブル装置。
【請求項２】
前記保持体が板材からなり、前記スライド受け部と前記左右の上向き段部との間に折曲げ部を有し、前記上向き段部と前記固定部との間に折曲げ部を有し、前記スライド受け部と前記固定部が略平行であり、前記スライド受け部の上面と前記固定部の上面との間の高さ寸法が前記テーブル本体の厚さの２倍以下であることを特徴とする請求項１記載の遊戯台用テーブル装置。
【請求項３】
前記テーブル本体の前方スライド位置を規制する規制手段を備え、この規制手段は前記保持体に設けたストッパと、前記テーブル本体に設けられ前記ストッパに係止する係止部とからなることを特徴とする請求項２記載の遊戯台用テーブル装置。
【請求項４】
前記保持体にビスを螺合する雌螺子孔を設け、この雌螺子孔に下方からビスを螺合し、このビスの先端を前記スライド受け部上に突出し、このビスの先端の突出部分により前記ストッパを構成し、前記係止部は前記テーブル本体の後側部から左右外側に突出してなることを特徴とする請求項３記載の遊戯台用テーブル装置。
【請求項５】
前記雌螺子孔を前後方向に間隔を置いて複数設けたことを特徴とする請求項４記載の遊戯台用テーブル装置。
【請求項６】
前記スライド受け部の前部上面に前記テーブル本体の下面に当接する保持体側突起部を形成すると共に、前記テーブル本体の後部上面に前記カウンターの下面に当接するテーブル側突起部を形成したことを特徴とする請求項２〜５のいずれか１項に記載の遊戯台用テーブル装置。
【請求項７】
前記スライド受け部の前部上面に前記テーブル本体の下面に当接する保持体側突起部を形成すると共に、前記保持体側突起部を左右方向に間隔を置いて複数設け、且つ前記保持体側突起部を前記ストッパより前方に設け、前記テーブル本体の後部上面に前記カウンターの下面に当接するテーブル側突起部を形成すると共に、前記テーブル側突起部を左右方向に間隔を置いて複数設けたことを特徴とする請求項３又は４記載の遊戯台用テーブル装置。
【請求項８】
前記保持体側突起部を左右と中央に設け、これら左右と中央の保持体側突起部に対応して前記テーブル側突起を左右と中央に設け、前記係止部が前記ストッパに係止する係止箇所より前記テーブル側突起部を後方に設けたことを特徴とする請求項７記載の遊戯台用テーブル装置。
【請求項９】
吸殻回収装置の吸殻回収路が前記カウンターの下面と間隔を置いて配置されており、前記カウンターの下面と前記吸殻回収路との間において前記カウンターの下面に前記保持体を固定したことを特徴とする請求項２〜８のいずれか１項に記載の遊戯台用テーブル装置。
【考案の詳細な説明】
【技術分野】
【０００１】
本考案は、パチンコ玉やメダルなどを用いる遊戯台のテーブル装置に関する。
【背景技術】
【０００２】
従来、この種のものとして、椅子に座る遊戯者等に対面するパチンコ機等の対面物より椅子側に向けて突設され、玉箱等の被載置物を載置可能に設けられた載置台であって、この台本体には、椅子側に引出し可能なテーブルが収納されてなり、前記テーブルと前記台本体とが、テーブルに一端側の軸点で回動自在に枢支され且つ台本体に他端側の軸点で回動自在に枢支された少なくとも二つの回動部材によって連結されてなる載置台（例えば特許文献１）が提案されている。
【０００３】
また、テーブルに取付けられるものであって、偏平な角筒状に形成され、開口部をテーブルの縁近くに位置させてテーブルの下面に取り付けられる案内筒と、この案内筒に摺動自在に装着された摺動体と、前記案内筒と前記摺動体との間に設けられて上記摺動体に上記案内筒内へ向かう引込み力を与えるばね材と、このばね材の作用による前記摺動体の前記案内筒内への引込み量を制限するストッパと、前記摺動体に設けられて該摺動体を前記案内筒内より引き出すための摘みと、前記摺動体の前記ばね材によって前記案内筒内に引き込まれる部分に形成されて携行物の挟み込み保持に供される携行物係止部とを具備してなるテーブル付帯装置（例えば特許文献２）が提案されている。
【０００４】
さらに、この種の遊戯台には吸殻回収装置が設けられる場合があり、例えば一列に設けられたパチンコ台の前方に設置された灰皿と、前記灰皿の下部に連通して設置された吸殻回収路たる吸殻搬送レールと、前記吸殻搬送レール内に備えられたスクリューシャフトと、前記スクリューシャフトに回転力を与える駆動部と、前記スクリューシャフトによって搬送された吸殻を回収する回収箱とを備えた吸殻回収装置（例えば特許文献３）などが知られており、このような吸殻回収装置を設けた場合、上記のような載置台や付帯装置を設置するスペースに制約を受ける問題がある。
【先行技術文献】
【特許文献】
【０００５】
【特許文献１】特開平１０−１５１２６９号公報
【特許文献２】特開平９−９８８６２号公報
【特許文献３】実用新案登録第３１０１１１３号公報
【考案の開示】
【考案が解決しようとする課題】
【０００６】
上記特許文献１の載置台では、複数の回動部材を用いるため、構造が複雑になると共に、薄型化が難しく、また、回動部材の両端を枢着したため、大きな荷重を受けると撓み易く、さらに、吸殻回収路を設けた遊戯台では、テーブル下部のスペースに制約を受けるため、不具合が生じた場合、交換・修理が難しい問題がある。
【０００７】
また、上記特許文献２のテーブル付帯装置では、案内筒を用いるため、薄型化には限度があり、さらに、板状の摺動部材が大きな荷重を受けると水平に保つことが難しいため、大きな荷重を受けるテーブルとしては不向きであり、また、吸殻回収路を設けた遊戯台では、テーブル下部のスペースに制約を受けるため、不具合が生じた場合、交換・修理が難しい問題がある。
【０００８】
そこで、本考案は、上記問題点を解決するものであり、薄型化が可能で、修理を容易に行うことができる遊戯台用テーブル装置を提供することを目的とし、また、大きな荷重が加わってもテーブル本体を水平に保つことができる遊戯台用テーブル装置を提供することを目的とし、加えて、吸殻回収装置を備えた遊戯台に設置可能な遊戯台用テーブル装置を提供する。
【課題を解決するための手段】
【０００９】
請求項１の考案は、遊戯台の下部に設けられたカウンターの下面に設けられる遊戯台用テーブル装置において、前記カウンターの下面に固定する保持体と、この保持体の上面に沿って前後方向スライド可能に設けられ前記カウンターの前部から出没する板状のテーブル本体とを備え、前記保持体は、前記テーブル本体が摺動して前後方向にスライドするスライド受け部と、このスライド受け部の左右にそれぞれ設けられた左右の上向き段部と、これら左右の上向き段部の上端からそれぞれ左右外側に設けられ前記カウンターの下面に固定する左右の固定部とを備えることを特徴とする。
【００１０】
請求項２の考案は、前記保持体が板材からなり、前記スライド受け部と前記左右の上向き段部との間に折曲げ部を有し、前記上向き段部と前記固定部との間に折曲げ部を有し、前記スライド受け部と前記固定部が略平行であり、前記スライド受け部の上面と前記固定部の上面との間の高さ寸法が前記テーブル本体の厚さの２倍以下であることを特徴とする。
【００１１】
請求項３の考案は、前記テーブル本体の前方スライド位置を規制する規制手段を備え、この規制手段は前記保持体に設けたストッパと、前記テーブル本体に設けられ前記ストッパに係止する係止部とからなることを特徴とする。
【００１２】
請求項４の考案は、前記保持体にビスを螺合する雌螺子孔を設け、この雌螺子孔に下方からビスを螺合し、このビスの先端を前記スライド受け部上に突出し、このビスの先端の突出部分により前記ストッパを構成し、前記係止部は前記テーブル本体の後側部から左右外側に突出してなることを特徴とする。
【００１３】
請求項５の考案は、前記雌螺子孔を前後方向に間隔を置いて複数設けたことを特徴とする。
【００１４】
請求項６の考案は、前記スライド受け部の前部上面に前記テーブル本体の下面に当接する保持体側突起部を形成すると共に、前記テーブル本体の後部上面に前記カウンターの下面に当接するテーブル側突起部を形成したことを特徴とする。
【００１５】
請求項７の考案は、前記スライド受け部の前部上面に前記テーブル本体の下面に当接する保持体側突起部を形成すると共に、前記保持体側突起部を左右方向に間隔を置いて複数設け、且つ前記保持体側突起部を前記ストッパより前方に設け、前記テーブル本体の後部上面に前記カウンターの下面に当接するテーブル側突起部を形成すると共に、前記テーブル側突起部を左右方向に間隔を置いて複数設けたことを特徴とする。
【００１６】
請求項８の考案は、前記保持体側突起部を左右と中央に設け、これら左右と中央の保持体側突起部に対応して前記テーブル側突起を左右と中央に設け、前記係止部が前記ストッパに係止する係止箇所より前記テーブル側突起部を後方に設けたことを特徴とする。
【００１７】
請求項９の考案は、吸殻回収装置の吸殻回収路が前記カウンターの下面と間隔を置いて配置されており、前記カウンターの下面と前記吸殻回収路との間において前記カウンターの下面に前記保持体を固定したことを特徴とする。
【考案の効果】
【００１８】
請求項１の構成によれば、保持体が、スライド受け部と左右の上向き段部と左右の固定部とを備えることにより、薄型化が可能で、構造が簡易なテーブル装置を提供できる。
【００１９】
請求項２の構成によれば、板材を屈曲形成して保持体を形成したから、保持体が構成簡易にして強度的に優れたものとなり、全体として薄型化が可能となる。
【００２０】
請求項３の構成によれば、係止部がストッパに係止することにより、テーブル本体の保持体からの抜け出しを防止できる。
【００２１】
請求項４の構成によれば、ビスの先端からなるストッパによりテーブル本体の抜け出しを防止でき、しかも、ビスを外せばテーブル本体を保持体から外すことができ、テーブル本体の修理又は交換を容易に行うことができる。
【００２２】
請求項５の構成によれば、ビスを螺合する雌螺子孔を選択することにより、テーブル本体の引き出し量を調整することができる。
【００２３】
請求項６の構成によれば、スライド受け部の前部上面に設けた保持体側突起部が、テーブル本体の下面に当接すると共に、カウンターの後部上面に設けたテーブル側突起部が、カウンターの下面に当接することにより、荷重を受けてもテーブル本体を水平に保つことができる。
【００２４】
請求項７の構成によれば、保持体側突起部がテーブル本体の下面に当接してテーブル本体の前側をやや高くし、テーブル側突起部がカウンターの下面に当接してテーブル本体の後側をやや低くすることにより、荷重を受けてもテーブル本体を水平に保つことができる。しかも、保持体側突起部を先端より前方に設けたから、テーブル本体が撓み難くなる。
【００２５】
また、複数の保持体突起部がテーブル本体に部分的に摺動すると共に、複数のテーブル側突起部がカウンターの下面に部分的に摺動するから、テーブル本体を円滑に出し入れすることができる。
【００２６】
請求項８の構成によれば、左右と中央の突起部によりテーブル本体を安定して水平に保つことができると共に、左右と中央に部分的に設けた突起部であるから、テーブル本体の下面に保持体側突起部が当接すると共に、テーブル側突起部がカウンター下面に当接した状態でも、テーブル本体を安定してスライドすることができる。しかも、ストッパが係止部に係止した位置で、その係止位置の前後に保持体側突起部とテーブル側突起部が位置するから、テーブル本体を最大限引き出した位置でも、一層、テーブル本体が撓み難くなる。
【００２７】
請求項９の構成によれば、吸殻回収路を配置した狭いスペースでも、テーブル装置をカウンターの下面に取り付けることができる。
【図面の簡単な説明】
【００２８】
【図１】本考案の実施例１を示す分解斜視図である。
【図２】同上、使用状態の斜視図である。
【図３】同上、図２のＡ−Ａ線断面図である。
【図４】同上、図２のＢ−Ｂ線断面図である。
【図５】同上、要部の説明断面図である。
【図６】同上、使用状態の正面図である。
【図７】本考案の実施例２を使用状態の斜視図である。
【図８】同上、図７のＣ−Ｃ線断面図である。
【考案を実施するための形態】
【００２９】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規な遊戯台用テーブル装置を採用することにより、従来にない遊戯台用テーブル装置が得られ、その遊戯台用テーブル装置について記述する。
【実施例１】
【００３０】
以下、本考案の実施例を添付図面を参照して説明する。図１〜図６は本考案の実施例１を示し、同図に示すように、本実施例の遊戯台用テーブル装置１は、パチンコ玉やメダルなどを用いる遊戯台２に用いられ、この遊戯台２は前方に突出したカウンター３の上に設けられ、このカウンター３の前部は前方に突出し、そのカウンター３の下面３Ｋに前記テーブル装置１が設けられる。
【００３１】
前記テーブル装置１は、前記カウンター３の下面３Ｋに固定する保持体５と、この保持体５の上面に沿って前後方向スライド可能に設けられ前記カウンター３の前部から出没する板状のテーブル本体６とを備える。前記保持体５は、金属製の板材を屈曲形成してなり、前記テーブル本体６が摺動して前後方向にスライドする平板状のスライド受け部11と、このスライド受け部11の左右にそれぞれ設けられた左右の上向き段部12，12と、これら左右の上向き段部12，12の上端からそれぞれ左右外側に設けられ前記カウンター３の下面３Ｋに固定する左右の固定部13，13とを一体に有する。
【００３２】
前記スライド受け部11の左右縁を、折曲げ部12Ａにより上方に折り曲げて前記上向き段部12を形成すると共に、この上向き段部12の上縁を、折曲げ部12Ｂにより左右外側に折り曲げて前記固定部13を形成し、左右の上向き段部12，12は、ほぼ平行に形成され、左右の固定部13，13は左右幅が略一定の鍔状をなす。
【００３３】
前記テーブル本体６は金属製の板材からなり、その左右の縁部の後端に左右外側に突出した係止部21，21を設け、この係止部21の先端21Ｓは略湾曲状に形成され、前記左右の係止部21，21の間隔が前記左右の上向き段部12，12の間隔と略等しい。また、前記テーブル本体６の前端左右には湾曲縁部22，22を形成し、左右の湾曲縁部22，22を結ぶ前縁に、下向きに折り曲げた取っ手部23を設けており、この取っ手部23を持ってテーブル本体６を前方に引き出したり、後方に押し込んだりでき、前記取っ手部23は前記スライド受け部11の前縁11Ｍに係止し、この位置がテーブル本体６の後方スライド位置である。
【００３４】
また、前記固定部13には複数の透孔17が前後方向に間隔をおいて穿設され、この透孔17に穿設した固定用ビス18を前記カウンター３の下面３Ｋに螺合することにより、固定部13の上面13Ｊが前記下面３Ｋに略密着した状態で前記カウンター３に前記保持体５が固定される。
【００３５】
また、前記スライド受け部11の前方左右には、前後方向に略等間隔に並んで雌螺子孔14，14，14が穿設され、この例では３個の雌螺子孔14，14，14が等間隔で左右対称位置に設けられている。前記雌螺子孔14には、ビス15が螺合され、このビス15は、ワッシャ16とスプリングワッシャ16Ａとを備え、前記雌螺子孔14に下方から螺合され、そのビス15のスライド受け部11の上に突出した部分であるビス15の先端15Ｓにより、前記係止部21が係止するストッパを構成している。尚、図面では、３個の雌螺子孔14，14，14にそれぞれビス15を螺合した状態を示すが、テーブル本体６の前方スライド位置に対応した雌螺子孔14のみにビス15を螺合すればよい。
【００３６】
また、前記保持体５のスライド受け部11の前部上面には、前記テーブル本体６の下面に当接する保持体側突起部31が設けられ、この例では、スライド受け部11の中央と左右に前記保持体側突起部31，31，31が設けられており、前記保持体側突起部31の高さにスライド受け部11の厚さを加えた高さ寸法ｈは、前記スライド受け部11の上面11Ｊと前記固定部13の上面13Ｊとの間の高さ寸法Ｈと略等しいか、高さ寸法Ｈが高さ寸法ｈより多少大きく、取付状態でテーブル本体６がスライド可能な高さ寸法Ｈ，ｈにそれぞれ設定されている。尚、スライド受け部11の厚さより保持体側突起部31の高さは低く、テーブル本体６の厚さＴよりテーブル側突起部の高さは低い。そして、スライド受け部11の上面11Ｊと固定部13の上面13Ｊとの間の高さ寸法Ｈがテーブル本体６の厚さＴの２倍以下であり、さらに好ましくは１．５倍以下である。
【００３７】
さらに、前記テーブル本体６の後部上面には、前記カウンター３の下面３Ｋに当接するテーブル側突起部32が設けられ、この例では、前記保持体側突起部31，31，31に対応して、テーブル側突起部32の中央と左右にテーブル側突起部32，32，32が設けられており、前記テーブル本体６の下面と前記テーブル側突起部32の上端との高さ寸法ｈ１は、前記高さ寸法Ｈと略等しいか、高さ寸法Ｈが高さ寸法ｈ１より多少大きい。尚、この例では、この高さ寸法ｈ１と前記高さ寸法ｈは略等しく、取付状態でテーブル本体６がスライド可能な高さ寸法Ｈ，ｈ，ｈ１にそれぞれ設定されている。尚、両突起部31，32は板材にプレス加工により形成されており、下面にはプレスにより凹部が形成されている。
【００３８】
図６はテーブル装置１の取付例を示し、カインター３の下部に吸殻回収装置41の吸殻回収路42が設けられており、この吸殻回収路42とカウンター３の下面３Ｋとの隙間で、前記下面３Ｋにテーブル装置１が取り付けられている。また、前記吸殻回収装置41は、一列に設けられた遊戯台２の前方に配置された灰皿43と、前記灰皿43の下部に連通して設置された前記吸殻回収路42と、筒状の前記吸殻回収路42内に備えられたスクリューシャフト44と、前記スクリューシャフト44に回転力を与える駆動部45と、前記スクリューシャフト44によって搬送された吸殻を回収する回収箱46とを備え、前記駆動部たるモータ45を前記スクリューシャフト44の下部に設置し、歯車機構47によりモータ45の駆動力を前記スクリューシャフト44に伝達するタイプを図示している。
【００３９】
次に、前記構成につき、その作用を説明する。取付状態では、図３及び図４に示すように、テーブル本体６は、その後部においてテーブル側突起部32がカウンター３の下面３Ｋに当接すると共に、この当接位置より前側において、保持体側突起31がテーブル本体６の下面に当接することにより、テーブル本体６の前側が上向きに保持されるため、テーブル本体６の上に荷重が加わってテーブル本体６の前側が下向きに撓むことを防止でき、大きな荷重に対しても安定したテーブル装置１が得られる。また、テーブル本体６をスライドする際には、部分的に設けたテーブル側突起部32がカウンター３の下面３Ｋに摺動すると共に、テーブル本体６の下面が保持体側突起部31に摺動する。
【００４０】
そして、図４はテーブル本体６を最大限引き出した位置である前方スライド位置を示し、この位置でストッパたるビス15の先端15Ｓの位置より保持体側突起部31は前側にあり、係止部21が先端15Ｓと係止する箇所である係止箇所たる前縁21Ｍより後側にテーブル側突起部32があるから、前方スライド位置においてもテーブル本体６が撓み難くなる。尚、係止箇所である前縁21Ｍは係止部21の前縁である。
【００４１】
そして、テーブル本体６を修理・交換する場合は、ビス15を外すことにより、保持体５からテーブル本体６を簡便に取り外し、修理・交換後は、再度、保持体５内にテーブル本体６を挿入し、ビス15を螺合すればよい。
【００４２】
このように本実施例では、請求項１に対応して、遊戯台２の下部に設けられたカウンター３の下面３Ｋに設けられる遊戯台用テーブル装置において、カウンター３の下面３Ｋに固定する保持体５と、この保持体５の上面に沿って前後方向スライド可能に設けられカウンター３の前部から出没する板状のテーブル本体６とを備え、保持体５は、テーブル本体６が摺動して前後方向にスライドするスライド受け部11と、このスライド受け部11の左右にそれぞれ設けられた左右の上向き段部12，12と、これら左右の上向き段部12，12の上端からそれぞれ左右外側に設けられカウンター３の下面３Ｋに固定する左右の固定部13，13とを備えるから、保持体５が、スライド受け部11と左右の上向き段部12と左右の固定部13とを備えることにより、薄型化が可能で、構造が簡易なテーブル装置を提供できる。
【００４３】
また、このように本実施例では、請求項２に対応して、保持体５が板材からなり、スライド受け部11と左右の上向き段部12との間に折曲げ部12Ａを有し、上向き段部12と固定部13との間に折曲げ部12Ｂを有し、スライド受け部11と固定部13が略平行であり、スライド受け部11の上面11Ｊと固定部13の上面13Ｊとの間の高さ寸法Ｈがテーブル本体６の厚さＴの２倍以下であり、板材を屈曲形成して保持体５を形成したから、保持体５が構成簡易にして強度的に優れたものとなり、全体として薄型化が可能となる。
【００４４】
また、このように本実施例では、請求項３に対応して、テーブル本体６の前方スライド位置を規制する規制手段を備え、この規制手段は保持体５に設けたストッパたる先端15Ｓと、テーブル本体６に設けられ先端15Ｓに係止する係止部21とから、係止部21が先端15Ｓに係止することにより、テーブル本体６の保持体５からの抜け出しを防止できる。
【００４５】
また、このように本実施例では、請求項４に対応して、保持体５にビス15を螺合する雌螺子孔14を設け、この雌螺子孔14に下方からビス15を螺合し、このビス15の先端15Ｓをスライド受け部11上に突出し、このビス15の先端15Ｓの突出部分によりストッパを構成し、係止部21はテーブル本体６の後側部から左右外側に突出してなるから、ビス15の先端15Ｓからなるストッパによりテーブル本体６の抜け出しを防止でき、しかも、ビス15を外せばテーブル本体６を保持体５から外すことができ、テーブル本体６の修理又は交換を容易に行うことができる。
【００４６】
また、このように本実施例では、請求項５に対応して、雌螺子孔14を前後方向に間隔を置いて複数設けたから、ビス15を螺合する雌螺子孔14を選択することにより、テーブル本体６の引き出し量を調整することができる。
【００４７】
また、このように本実施例では、請求項６に対応して、スライド受け部11の前部上面にテーブル本体６の下面に当接する保持体側突起部31を形成すると共に、テーブル本体６の後部上面にカウンター３の下面３Ｋに当接するテーブル側突起部32を形成したから、スライド受け部11の前部上面に設けた保持体側突起部31が、テーブル本体６の下面に当接するすると共に、テーブル本体６の後部上面に設けたテーブル側突起部32が、カウンター３の下面３Ｋに当接することにより、荷重を受けてもテーブル本体を水平に保つことができる。尚、保持体側突起部31の高さ寸法は保持体５の板厚より小さく、また、テーブル側突起部32の高さ寸法はテーブル本体６の板厚より小さく、両突起部31，32は円形の小突起である。
【００４８】
また、このように本実施例では、請求項７に対応して、スライド受け部11の前部上面にテーブル本体６の下面に当接する保持体側突起部31を形成すると共に、保持体側突起部31を左右方向に間隔を置いて複数設け、且つ保持体側突起部31をストッパたる先端15Ｓより前方に設け、テーブル本体６の後部上面にカウンター３の下面３Ｋに当接するテーブル側突起部32を形成すると共に、テーブル側突起部32を左右方向に間隔を置いて複数設けたから、保持体側突起部31がテーブル本体６の下面に当接してテーブル本体６の前側をやや高くし、テーブル側突起部32がカウンター３の下面３Ｋに当接してテーブル本体６の後側をやや低くすることにより、荷重を受けてもテーブル本体６を水平に保つことができる。しかも、保持体側突起部31を先端15Ｓより前方に設けたから、テーブル本体６が撓み難くなる。また、複数の保持体突起部31がテーブル本体６に部分的に摺動すると共に、複数のテーブル側突起部32がカウンター３の下面３Ｋに部分的に摺動するから、テーブル本体６を円滑に出し入れすることができる。
【００４９】
また、このように本実施例では、請求項８に対応して、保持体側突起部31を左右と中央に設け、これら左右と中央の保持体側突起部31，31，31に対応してテーブル側突起部32を左右と中央に設け、係止部21が先端15Ｓに係止する係止箇所たる前縁21Ｍよりテーブル側突起部32を後方に設けたから、左右と中央の突起部31，32によりテーブル本体６を安定して水平に保つことができると共に、左右と中央に部分的に設けた突起部31，32であるから、テーブル本体６の下面に保持体側突起部31が当接すると共に、テーブル側突起部32がカウンター下面３Ｋに当接した状態でも、テーブル本体６を安定してスライドすることができる。しかも、ストッパたる先端15Ｓが係止部21に係止した位置で、その係止位置の前後に保持体側突起部31とテーブル側突起部32が位置するから、テーブル本体６を最大限引き出した位置でも、一層、テーブル本体６が撓み難くなる。
【００５０】
また、このように本実施例では、請求項９に対応して、吸殻回収装置41の吸殻回収路42がカウンター３の下面３Ｋと間隔を置いて配置されており、カウンター３の下面３Ｋと吸殻回収路42との間においてカウンター３の下面３Ｋに保持体５を固定したから、吸殻回収路42を配置した狭いスペースでも、テーブル装置１をカウンター３の下面３Ｋに取り付けることができる。
【００５１】
また、実施例上の効果として、前後方向に略等間隔に並んで雌螺子孔14，14，14が穿設され、前記雌螺子孔14にビス15を螺合したから、ビス15がテーブル本体６の左右縁を案内する効果が得られる。
【実施例２】
【００５２】
図７〜図８は、本発明の実施例２を示し、上記実施例１と同一部分に同一符号を付し、その詳細な説明を省略して詳述する。この例では、テーブル本体６の左右縁に凹凸部25，25をそれぞれ設けており、テーブル本体６がデザイン性に優れたものとなる。また、テーブル側突起部32は、係止箇所である前縁21Ｍより前方に配置されている。
【００５３】
したがって、この例では、請求項１〜７及び９に対応して、上記実施例１と同様な作用・効果を奏する。
【００５４】
尚、本考案は、本実施例に限定されるものではなく、本考案の要旨の範囲内で種々の変形実施が可能である。例えば、吸殻回収路は筒状以外でも、上部が開口したＵ字形状のものでもよい。また、請求項１及び２においては規制手段は不要である。さらに、テーブル本体の前部に樹脂製の取っ手を設けてもよく、この場合は、テーブル本体の前縁左右を角型に形成し、そのテーブル本体の前縁を樹脂で覆うと共に樹脂製の取っ手を設けることができる。
【符号の説明】
【００５５】
１  テーブル装置
２  遊戯台
３  カウンター
３Ｋ  下面
５  保持体
６  テーブル本体
11  スライド受け部
11Ｊ  上面
12  上向き段部
12Ａ  折曲げ部
12Ｂ  折曲げ部
13  固定部
13Ｊ  上面
14  雌螺子孔
15  ビス
15Ｓ  先端（ストッパ）
21  係止部
21Ｍ  前縁（係止箇所）
31  保持体側突起部
32  テーブル側突起部
42  吸殻回収路
【図１】
0003171534.tif 000003
【図２】
0003171534.tif 000004
【図３】
0003171534.tif 000005
【図４】
0003171534.tif 000006
【図５】
0003171534.tif 000007
【図６】
0003171534.tif 000008
【図７】
0003171534.tif 000009
【図８】
0003171534.tif 000010